(57)【要約】【課題】アンテナを備える筐体に撮像部を備える場合において、撮像部が発生するノイズによるアンテナへの影響を軽減する。【解決手段】筐体（１ａ）に撮像部（７）を備える携帯通信機器であって、撮像部（７）を内蔵した筐体（１ａ）に対し一端側に配置した第１のアンテナ８と、他端側に配置した第２のアンテナ９とを備える。撮像部（７）は、レンズ７ａと、撮像素子（７ｂ）と、レンズ駆動デバイス（ＡＦモータ７ｃ）とを備える。そして、筐体（１ａ）内において、撮像部（７）の周囲を覆うシールドケース１７を備える。さらに、撮像部（７）及びサブ回路基板１８とその他の電子部品を搭載するとともに、一端側にメインアンテナ８を搭載して、他端側にサブアンテナ９を搭載するメイン回路基板１０を備える。【選択図】図５
2005286632.tif 000002
【特許請求の範囲】
【請求項１】
筐体に撮像部を備える携帯通信機器であって、
前記撮像部を内蔵した筐体に対し一端側に配置した第１のアンテナと、他端側に配置した第２のアンテナとを備えることを特徴とする携帯通信機器。
【請求項２】
前記撮像部は、レンズと、撮像素子と、レンズを駆動させるためのレンズ駆動デバイスとを備えることを特徴とする請求項１に記載の携帯通信機器。
【請求項３】
前記筐体内において、前記撮像部の前記レンズ、撮像素子及びレンズ駆動デバイスの周囲を覆うシールドケースを備えることを特徴とする請求項２に記載の携帯通信機器。
【請求項４】
前記撮像部及びサブ回路基板とその他の電子部品を搭載するとともに、一端側にメインアンテナを搭載して、他端側にサブアンテナを搭載するメイン回路基板を備えることを特徴とする請求項１から３のいずれか一項に記載の携帯通信機器。
【発明の詳細な説明】
【技術分野】
【０００１】
本発明は、筐体に撮像部を備える携帯通信機器に関する。
【背景技術】
【０００２】
近年、撮像部を備えた携帯電話機に代表される携帯通信機器が普及している。
このような撮像部を備えた携帯通信機器において、従来より、デジタルカメラ相当の高解像度を具備した液晶画面による表示部と同じ筐体部分に撮像部を配置していた。
そして、操作部を備える本体部と表示部を備える蓋部とを折り畳み構造とした携帯通信機器において、表示部及び操作部の動作を制御する回路及び各種電子部品を搭載した制御基板に形成された切欠部に、レンズ及び撮像素子を基板に搭載してなる撮像部を配置した構造のものがある（例えば特許文献１参照）。
【特許文献１】特開２００４−３２２７１号公報
【発明の開示】
【発明が解決しようとする課題】
【０００３】
折り畳み式携帯通信機器において、蓋部に備える液晶画面の大型化を図った場合、撮像部を本体部に配置する必要がある。
しかし、本体部にはアンテナが備えられているため、撮像部を本体部に備えようとすると、撮像部の基板から発生するノイズによるアンテナへの影響を軽減させるために、撮像部をシールドケースで覆う必要がある。例えば撮像部がレンズを駆動させるためのレンズ駆動デバイスを備える場合、そのレンズ駆動デバイスが発生するノイズによるアンテナのシールド対策が必要となる。
【０００４】
本発明の課題は、アンテナを備える筐体に撮像部を備える場合において、撮像部が発生するノイズによるアンテナへの影響を軽減することである。
【課題を解決するための手段】
【０００５】
以上の課題を解決するため、請求項１に記載の発明は、例えば図１、図３及び図５に示すように、筐体１ａに撮像部７を備える携帯通信機器であって、前記撮像部７を内蔵した筐体１ａに対し一端側に配置した第１のアンテナ８と、他端側に配置した第２のアンテナ９とを備えることを特徴とする。
【０００６】
請求項１に記載の発明によれば、撮像部を内蔵した筐体に対し一端側に第１のアンテナを配置して、他端側に第２のアンテナを配置したので、少なくとも一方のアンテナが撮像部から遠い位置となって、撮像部が発生するノイズによるアンテナへの影響を軽減できる。
従って、ダイバシチィアンテナによる電波の送受信性能を確保できる。
【０００７】
請求項２に記載の発明は、請求項１に記載の携帯通信機器であって、例えば図３及び図４に示すように、前記撮像部７は、レンズ７ａと、撮像素子７ｂと、レンズを駆動させるためのレンズ駆動デバイス（ＡＦモータ）７ｃとを備えることを特徴とする。
【０００８】
請求項２に記載の発明によれば、レンズ駆動デバイスを備える撮像部の場合にも、そのレンズ駆動デバイスに対し少なくとも一方のアンテナが撮像部から遠い位置となるので、レンズ駆動デバイスが発生するノイズによるアンテナへの影響を軽減できる。
【０００９】
請求項３に記載の発明は、請求項２に記載の携帯通信機器であって、例えば図３から図５に示すように、前記筐体１ａ内において、前記撮像部７の前記レンズ７ａ、撮像素子７ｂ及びレンズ駆動デバイス（ＡＦモータ）７ｃの周囲を覆うシールドケース（中ケース）１７を備えることを特徴とする。
【００１０】
請求項３に記載の発明によれば、筐体内で撮像部のレンズ、撮像素子及びレンズ駆動デバイスの周囲をシールドケースにより覆ったことから、第１及び第２の両アンテナに対するノイズの影響をより軽減できる。
【００１１】
請求項４に記載の発明は、請求項１から３のいずれか一項に記載の携帯通信機器であって、例えば図２及び図５に示すように、前記撮像部７及びサブ回路基板１８とその他の電子部品を搭載するとともに、一端側にメインアンテナ８を搭載して、他端側にサブアンテナ９を搭載するメイン回路基板１０を備えることを特徴とする。
【００１２】
請求項４に記載の発明によれば、メイン回路基板に、撮像部及びサブ回路基板とその他の電子部品、一端側のメインアンテナ、他端側のサブアンテナを搭載して、切欠部がない大面積のメイン回路基板の面をフルに利用して実装できる。
従って、蓋部に備える表示部の液晶画面の大型化、それに伴う液晶側の基板面積の縮小にも有効に対応できる。
【発明の効果】
【００１３】
本発明によれば、少なくとも一方のアンテナを撮像部から遠い位置に配置して、撮像部が発生するノイズによるアンテナへの影響を軽減でき、ダイバシチィアンテナによる電波の送受信性能を確保できる。
【発明を実施するための最良の形態】
【００１４】
以下、図を参照して本発明を実施するための最良の形態を詳細に説明する。
本発明を適用した折り畳み式電子機器の一実施形態として携帯電話機の構成を示す図１から図５において、１は本体部、２は蓋部、３はヒンジ部、４はメイン表示部、５はサブ表示部、６は操作部、７は撮像部、８はメインアンテナ、９はサブアンテナである。
【００１５】
図１及び図２に示すように、本体部１と蓋部２は、一端側において、ヒンジ部３を介して互いに折り畳み動作自在に組み付けられている。蓋部２は、図示のように、一面側にワイド液晶画面によるメイン表示部４を有して他面側に小さな液晶画面によるサブ表示部５を有している。
そして、本体部１は、一面側に操作部６を有して他面側に撮像部７を有しており、さらに、一端側（図示例ではヒンジ部３側）にメインアンテナ８を有する。更に図２の操作部６の化粧パネルを外した状態において、操作部基板６ａを介したメインアンテナ側の反対側には、高速ダウンロード時にメインアンテナ８とともに駆動させ、空間ダイバシチィ効果を得る為のサブアンテナ９が配置されている。
【００１６】
本体部１は、図３から図５に示したように、下ケース及び上ケースを合体して構成される筐体１ａに、操作部６（操作部基板６ａ）とその裏面側の撮像部７を内蔵し、メインアンテナ８を組み付けるとともに、サブアンテナ９、メイン回路基板１０、中ケース１７及びサブ回路基板１８等を内蔵してなる。
撮像部７は、撮像レンズ７ａと、撮像素子（ＣＣＤ）７ｂと、レンズ駆動デバイスであるステップモータによるＡＦ（オートフォーカス）モータ７ｃを、カメラ回路基板７ｄに搭載してなるカメラユニットにより構成されている。
【００１７】
メイン回路基板１０は、一面側に各種操作キー群による操作部６を搭載して、他面側に撮像部（カメラユニット）７を含む各種電子部品を搭載している。
すなわち、メイン回路基板１０の操作部６を搭載する面と反対側の面には、図４に示したように、中央部に電池接続端子部１１、長手方向一端部にバイブレータ１２、長手方向他端部にサブアンテナ９、外部接続端子部１３が搭載されていて、この外部接続端子部１３及び電池接続端子部１１間にスロットケース１４、バイブレータ１２及び電池接続端子部１１間にも外部接続端子部１３及び電子部品１６が搭載されている。
【００１８】
また、バイブレータ１２及び電池接続端子部１１間には、撮像部であるカメラユニット７が搭載されており、さらに、撮像レンズ７ａだけを露出してカメラユニット７の周囲全体を覆うシールドケース兼用の中ケース１７が取り付けられている。
この中ケース１７にサブ回路基板１８が取り付けられている。このサブ回路基板１８は、蓋部２のメイン表示部（ワイド液晶画面）４及びサブ表示部５に接続されるとともに、メイン回路基板１０に接続される。
【００１９】
ここで、スロットケース１４には、図５に示すように、メモリカード１９が装填される。このスロットケース１４上に重なるようにして、電池接続端子部１１に接続する電池パック２０が収納される。なお、筐体１ａには、図３に示すように、電池パック２０を着脱自在とする開口部に電池蓋２１が組み付けられている。
そして、サブ回路基板１８には、図５に示したように、一対のスピーカ２２等が搭載されている。
【００２０】
また、メイン回路基板１０の長手方向一端部でバイブレータ１２の両側方には、図５に示したように、メインアンテナ８をなすＵ字形アンテナ部材８ａが両端部で取り付けられている。このＵ字形アンテナ部材８ａはアンテナカバー８ｂにより覆われている。
そして、メイン回路基板１０の長手方向他端部で外部接続端子部１３の一側方の裏面には、図２に示したように、小さなチップ状アンテナによるサブアンテナ９が取り付けられている。
【００２１】
以上の通り、折り畳み式携帯電話機の本体部１において、撮像レンズ７ａ、撮像素子７ｂ、ＡＦモータ（ステップモータ）７ｃ及びカメラ回路基板７ｄからなり、中ケース（シールドケース）１７で覆ったカメラユニット７に対し、筐体１ａのカメラユニット７に近い一端側にＵ字形アンテナ部材８ａによるメインアンテナ８を配置して、筐体１ａのカメラユニット７から遠い他端側にサブアンテナ９を配置した構造となっている。
これにより、カメラユニット７のＡＦモータ７ｃ及びカメラ回路基板７ｄから発生するノイズによるメインアンテナ８及びサブアンテナ９への影響を効果的に軽減でき、すなわち、ダイバシチィアンテナによる電波の送受信性能を有効なものとして確保できるものとなっている。
【００２２】
そして、実施形態では、従来のような切欠部がないメイン回路基板１０を採用し、その大面積のメイン回路基板１０の操作部６を搭載する面の裏面側に、カメラユニット７及びサブ回路基板１８とその他の電子部品を搭載した構成となっている。
すなわち、蓋部２に備えるメイン表示部４の液晶画面のワイド化、それに伴う液晶側の基板面積の縮小に対応し、切欠部がない大面積のメイン回路基板１０の一面をフルに利用してカメラユニット７及びその他の電子部品に加えて液晶用のサブ回路基板１８を実装できるというメリットもある。
【００２３】
なお、以上の実施形態においては、折り畳み式携帯電話機としたが、本発明はこれに限定されるものではなく、本体部とのヒンジ軸と直角の回動軸に対し蓋部を回転自在に組み付けて、表示部を表にしても裏にしても折り畳めるようにした２軸ヒンジ構造のものでも良い。また、携帯電話機に限らず、ＰＤＡなど他の携帯通信機器であっても良い。
さらに、筐体のデザイン等も任意であり、その他、具体的な細部構造等についても適宜に変更可能であることは勿論である。
【図面の簡単な説明】
【００２４】
【図１】本発明を適用した携帯通信機器の一実施形態の構成を示すもので、折り畳み式携帯電話機を開いた状態での撮像部側を見た正面図（ａ）、その側面図（ｂ）、操作部及び表示部側を見た図（ｃ）である。
【図２】図１（ｃ）で操作部基板を露出させた状態を拡大して示した正面図である。
【図３】図１及び図２における本体部の筐体の中央縦断側面図である。
【図４】本体部筐体内に組み込まれるメイン回路基板、撮像部（カメラユニット）、中ケース（シールドケース）及びサブ回路基板を示す分解斜視図である。
【図５】メイン回路基板の裏面に各種電子部品を組み付けた状態を示した斜視図である。
【符号の説明】
【００２５】
１  本体部
１ａ  筐体
２  蓋部
３  ヒンジ部
４  メイン表示部
５  サブ表示部
６  操作部
７  撮像部（カメラユニット）
７ａ  撮像レンズ
７ｂ  撮像素子
７ｃ  レンズ駆動デバイス（ＡＦモータ）
７ｄ  カメラ回路基板
８  メインアンテナ
８ａ  Ｕ字形アンテナ部材
９  サブアンテナ（チップ状アンテナ）
１０  メイン回路基板
１７  シールドケース（中ケース）
１８  サブ回路基板
【図１】
2005286632.tif 000003
【図２】
2005286632.tif 000004
【図３】
2005286632.tif 000005
【図４】
2005286632.tif 000006
【図５】
2005286632.tif 000007